(57)【要約】【課題】子供用ハーネス留め具システムを提供する。【解決手段】本留め具システムは、２つのストラップ留め具と、解放ボタンが可動に一方の面に組み込まれたソケットとを備える。前記各ストラップ留め具はバネフィンガーと捕捉孔とを有する。前記ソケットは前記ストラップ留め具が係合するための２つの挿入スロットと、２つの弾性ラッチアームが設けられた内部とを有し、前記各ラッチアームは突起が設けられた曲げ可能な第１端部と、前記ソケットのハウジングに接続された第２端部とを有する。また、前記解放ボタンの内側面は、前記２つのラッチアームに接触する突出したリブを有してよい。前記２つのストラップ留め具が前記ソケットにロックされた時、前記各ラッチアームの前記突起は前記捕捉孔と係合し、前記各バネフィンガーは対応する前記ラッチアームの前記第２端部に圧接する。【選択図】図１
2011251121.tif 000002
【特許請求の範囲】
【請求項１】
２つのストラップ留め具と、解放ボタンが可動に一方の面に組み込まれたソケットとを備える子供用ハーネス留め具システムであって、
前記各ストラップ留め具はバネフィンガーと捕捉孔とを有し、
前記ソケットは前記ストラップ留め具が係合するための２つの挿入スロットと、２つの弾性ラッチアームが設けられた内部とを有し、前記各ラッチアームは突起が設けられた曲げ可能な第１端部と、前記ソケットのハウジングに接続された第２端部とを有し、
前記解放ボタンの内側面は、前記２つのラッチアームに接触する突出したリブを有し、
前記２つのストラップ留め具が前記ソケットにロックされた時、前記各ラッチアームの前記突起は前記捕捉孔と係合し、前記各バネフィンガーは対応する前記ラッチアームの前記第２端部に圧接することを特徴とする子供用ハーネス留め具システム。
【請求項２】
前記解放ボタンが内方へ押されると、前記突出したリブは前記各ラッチアームを押し込んで前記突起を前記捕捉孔から外し、前記各バネフィンガーは前記第２端部に圧接して前記ストラップ留め具を前記ソケット外へ射出する請求項１に記載の子供用ハーネス留め具システム。
【請求項３】
前記各ストラップ留め具は、留め具本体と前記留め具本体の一方の側から延びるタングとを備え、前記２つのストラップ留め具が前記ソケットにロックされる時、前記タングは対応する前記挿入スロットに挿入される請求項１に記載の子供用ハーネス留め具システム。
【請求項４】
前記各ストラップ留め具の前記タングは、前記捕捉孔から離れた開口を有し、前記バネフィンガーは前記開口の縁に接続されている請求項３に記載の子供用ハーネス留め具システム。
【請求項５】
前記突出したリブは前記２つのラッチアームにそれらの前記第１端部と第２端部の間の領域において接触する請求項１に記載の子供用ハーネス留め具システム。
【請求項６】
前記２つのラッチアームは前記２つの挿入スロットを結ぶ２つの概ね平行な軸に沿ってそれぞれ延び、前記２つの第１端部は前記突出したリブの両側にそれぞれ位置する請求項１に記載の子供用ハーネス留め具システム。
【請求項７】
前記２つのラッチアームと前記ソケットの前記ハウジングとは一体形成されている請求項１に記載の子供用ハーネス留め具システム。
【請求項８】
前記ストラップ留め具の誤った挿入を防ぐために、前記ストラップ留め具のうち少なくとも１つは第１噛合構造体を更に備え、前記ソケットの前記ハウジングは、前記第１噛合構造体と噛合するのに適合した第２噛合構造体を備える請求項１に記載の子供用ハーネス留め具システム。
【請求項９】
前記ストラップ留め具のうち少なくとも１つの前記留め具本体は、アンカーバーで分離された２つの開口と、前記２つの開口の１つに隣接して配置され前記アンカーバーと対面する曲げ可能なストラップクランプとを有する請求項３に記載の子供用ハーネス留め具システム。
【請求項１０】
前記ストラップクランプは、前記留め具本体の第１面に位置する締め付け部と、前記留め具本体の反対側の第２面から突出する操作部とを有し、前記２つの開口は、前記アンカーバーの周りをループし前記留め具本体の前記第１面において前記アンカーバーから離れていくようストラップを通すのに適合している請求項９に記載の子供用ハーネス留め具システム。
【請求項１１】
前記ストラップのループ部を前記アンカーバーと前記締め付け部との間で締め付けるか又は締め付け解除するために、前記ストラップクランプは、前記締め付け部と前記アンカーバーとの距離を減少させるか増加させるよう弾性変形可能である請求項１０に記載の子供用ハーネス留め具システム。
【請求項１２】
前記ストラップクランプの前記締め付け部は前記留め具本体と曲った部材を介して接続されている請求項１０に記載の子供用ハーネス留め具システム。
【請求項１３】
前記ソケットは股ストラップと接続され、前記２つのストラップ留め具は２つの膝ストラップとそれぞれ接続される請求項１に記載の子供用ハーネス留め具システム。
【請求項１４】
２つの肩ストラップにそれぞれ接続される２つの第２ストラップ留め具を更に備え、前記各第２ストラップ留め具は、前記第１ストラップ留め具のうち対応する１つに前記第２ストラップ留め具を組み込むために前記第１ストラップ留め具の前記タングが挿通される細長いスロットを有する請求項１３に記載の子供用ハーネス留め具システム。
【請求項１５】
前記対応する第１ストラップ留め具への前記第２ストラップ留め具の正しい組み込みを保証するために、前記細長いスロットの縁は複数のアライメントリブを有し、前記第１ストラップ留め具の前記留め具本体は、前記アライメントリブと噛合するよう適合した複数のアライメント溝を有する請求項１４に記載の子供用ハーネス留め具システム。
【発明の詳細な説明】
【技術分野】
【０００１】
本発明は、子供搬送装置での使用に適したハーネス留め具システムに関する。
【０００２】
本出願は、２０１０年６月１日付で出願した中国特許出願第２０１０１０１９４５１４．７号及び２０１０年９月１５日付で出願した中国特許出願第２０１０１０２８３２７６．７号に基づく優先権を主張するものである。
【背景技術】
【０００３】
子供搬送装置（例えば、ベビーカー、幼児用カーシートなど）は一般的に複数のハーネスストラップを取り付け留めることが出来るハーネス留め具システムを備えてよい。通常、ハーネス留め具システムはソケット、一対の膝ストラップ留め具、及び一対の肩ストラップ留め具を備える。膝ストラップ留め具はそれぞれ肩ストラップ留め具と組み合わされ、次に前記ソケットに装着されて着座している子供を拘束し保護する。
【発明の概要】
【発明が解決しようとする課題】
【０００４】
現在入手可能な留め具システム構成は、通常、多くの部品（例えば、バネ、スライド要素など）の組み立てを必要とし、時間がかかり製造コストを増加させる。
従って、構造が簡単で製造コストを低減でき、少なくとも上記の問題に対処することが出来る改善されたハーネス留め具が必要とされている。
【課題を解決するための手段】
【０００５】
本発明はベビーカー、幼児用カーシートなどの子供搬送装置での使用に適した子供用ハーネス留め具システムを開示する。１つの実施形態では、この子供用ハーネス留め具システムは２つのストラップ留め具と、解放ボタンが可動に一方の面に組み込まれたソケットとを備える。前記各ストラップ留め具はバネフィンガーと捕捉孔とを有する。前記ソケットは前記ストラップ留め具が係合するための２つの挿入スロットと、２つの弾性ラッチアームが設けられた内部とを有し、前記各ラッチアームは突起が設けられた曲げ可能な第１端部と、前記ソケットのハウジングに接続された第２端部とを有する。また、前記解放ボタンの内側面は、前記２つのラッチアームに接触する突出したリブを有してよい。前記２つのストラップ留め具が前記ソケットにロックされた時、前記各ラッチアームの前記突起は前記捕捉孔と係合し、前記各バネフィンガーは対応する前記ラッチアームの前記第２端部に圧接する。
【発明の効果】
【０００６】
本明細書に記載した構造の少なくとも１つの利点は、本留め具システムの製造に必要な部品数が低減されることである。特に、ソケットは組み立てが簡単で追加のバネ部品を必要としない。また、この留め具システムは、ロック解除しストラップを所望の長さに調整するために操作するのに便利である。
【図面の簡単な説明】
【０００７】
【図１】子供用ハーネス留め具システムの１つの実施形態を例示する展開図である。
【図２】図１の留め具システムのソケットと第１ストラップ留め具と解放ボタンとの構成を例示する概略図である。
【図３】ソケットにロックされた第１ストラップ留め具を例示する概略図である。
【図４】図３の線４に沿った断面図である。
【図５】図３の線５に沿った断面図である。
【図６】ソケットにしっかりと取り付けられた第１及び第２ストラップ留め具を例示する概略図である。
【図７】膝ストラップが締め付けられた状態にある第１ストラップ留め具を例示する概略図である。
【図８】膝ストラップが解放された状態にある第１ストラップ留め具を例示する概略図である。
【発明を実施するための形態】
【０００８】
本発明の実施を特定の実施形態だけを用いて説明する。
これらの実施形態は限定ではなく例示するよう意図されている。多くの変形、変更、追加、及び改善が可能である。従って、単一の例として説明する構成要素について複数の例がありうる。代表的な構成において個々の構成要素として提示する構造と機能は、結合された構造又は構成要素として実現されてもよい。これら及び他の変形、変更、追加、及び改善は添付の請求項によって定義される本発明の範囲に入る。
【実施例】
【０００９】
図１はベビーカー、幼児用カーシートなどの子供搬送装置での使用に適した子供用ハーネス留め具システム１００の１つの実施形態を例示する展開図である。子供用ハーネス留め具システム１００は代表的には、ソケット１０２と、膝ストラップの端部に取り付けられた２つの第１ストラップ留め具１０４と、肩ストラップの端部に取り付けられた２つの第２ストラップ留め具１０８とを備える５点ハーネス留め具であってよい。ソケット１０２は子供用ハーネス留め具システム１００をロック解除するよう操作可能な解放ボタン１０６と、股ストラップ１１２を固定するための孔１１０とを備えてよい。
【００１０】
図２はソケット１０２と、第１ストラップ留め具１０４と、解放ボタン１０６との構成を例示する概略図である。ソケット１０２は中央領域に開口１０２Ａが形成された中空のハウジング１１３と、開口１０２Ａの左右側面に設けられた挿入スロット１０２Ｂ、１０２Ｃとを備える。開口１０２Ａと挿入スロット１０２Ｂ、１０２Ｃとはハウジング１１３の中空の内部と連通している。孔１１０はハウジング１１３の開口１０２Ａの一辺に近接した領域に設けられている。
【００１１】
ハウジング１１３の内部は、互いにほぼ平行に配置された一対の弾性ラッチアーム１２２、１２３を備えてよい。１つの実施形態では、ラッチアーム１２２、１２３はハウジング１１３と一体に形成されてよい。より具体的には、ラッチアーム１２２は挿入スロット１０２Ｂ、１０２Ｃを結ぶ横軸Ｘ１に沿って延び、ラッチアーム１２２の突起１２２Ｃが形成された第１端部１２２Ａは挿入スロット１０２Ｂに近接して位置し、ラッチアーム１２２の第２端部１２２Ｂは挿入スロット１０２Ｃに近接した位置でハウジング１１３に接続されている。
一方、ラッチアーム１２３は挿入スロット１０２Ｂ、１０２Ｃを結ぶ横軸Ｘ１に平行な別の横軸Ｘ２に沿って延び、ラッチアーム１２３の突起１２３Ｃが形成された第１端部１２３Ａは挿入スロット１０２Ｃに近接して位置し、ラッチアーム１２３の第２端部１２３Ｂは挿入スロット１０２Ｂに近接した位置でハウジング１１３に接続されている。従って、ラッチアーム１２２、１２３は互いに反対向きに配置され、例えば、ラッチアーム１２２の末端の第１端部１２２Ａは右側でラッチアーム１２３の第２端部１２３Ｂに近接して位置し、ラッチアーム１２３の末端の第１端部１２３Ａは左側でラッチアーム１２２の第２端部１２２Ｂに近接して位置する（図２に示す）。
【００１２】
図１及び図２を再び参照すると、各第１ストラップ留め具１０４は留め具本体１２８に結合されたタング１２６を備えてよい。タング１２６は板形状を有し、一方、留め具本体１２８は膝ストラップ１４２の端部を取り付けるのに適合した枠構造を有する。タング１２６との留め具本体１２８の結合部は、第２ストラップ留め具１０８に設けられた対応するアライメントリブ１５６と噛合するのに適合した複数のアライメント溝１３０を備える。図示のように、アライメント溝１３０はタング１２６の幅に沿って配置されてよい。
【００１３】
タング１２６は第１面１２６Ａと、第１面１２６Ａと反対側の第２面１２６Ｂとを有する。開口１３２と捕捉孔１３４がタング１２６に第１面１２６Ａから第２面１２６Ｂへ形成されている。また、開口１３２の縁部にバネフィンガー１３６が設けられてよい。図２に示すように、バネフィンガー１３６は開口１３２の縁部に結合され第２面１２６Ｂの方へ曲った曲げ形状を有し、第２面１２６Ｂから外へ突出している。バネフィンガー１３６と捕捉孔１３４はそれぞれ横軸Ｘ１、Ｘ２に対応する位置に配置されている。
【００１４】
留め具本体１２８にはその第１面と第２面を貫通して２つの開口１２８Ａ、１２８Ｂが第１ストラップ留め具１０４の幅に沿って延びるアンカーバー１３８により分離されて形成されている。１つの実施形態では、アンカーバー１３８は膝ストラップ１４２の係止を助ける筋又は歯付き表面を有してもよい。
【００１５】
留め具本体１２８は開口１２８Ｂに隣接して形成されアンカーバー１３８の側面と対面するストラップクランプ１４０を備えてよい。１つの実施形態では、タング１２６、留め具本体１２８、アンカーバー１３８、及びクランプ１４０を備えた第１ストラップ留め具１０４はプラスチック成形で一体形成されてもよい。
膝ストラップ１４２の一部はアンカーバー１３８の周りをループし、開口１２８Ａ、１２８Ｂを通って第１ストラップ留め具１０４の留め具本体１２８にしっかりと保持されうる。ストラップクランプ１４０は付勢され膝ストラップ１４２の前記ループ部に圧接して膝ストラップ１４２をストラップクランプ１４０とアンカーバー１３８との間にしっかりと締め付ける。膝ストラップ１４２の長さを調整する必要がある場合、クランプ１４０を一方の側へ曲げて膝ストラップ１４２に働く締め付けを解放することが出来る。解放した後、膝ストラップ１４２を第１ストラップ留め具１０４に対して滑らせて所望の長さに調整できる。
【００１６】
図７及び図８は膝ストラップ１４２をしっかりと締め付けたり解放したりするためのストラップクランプ１４０の構造と操作をより詳細に例示する概略図である。図示のように、膝ストラップ１４２は開口１２８Ａを通り、アンカーバー１３８の周りを第１側１３８Ａから反対側の第２側１３８Ｂへループし、次に開口１２８Ｂを通る。ストラップクランプ１４０は、一緒に結合された操作部１４０Ａ及び締め付け部１４０Ｂと、開口１２８Ｂの一方の側において締め付け部１４０Ｂを留め具本体１２８と接続する弾性部１４１とを含めて一体形成されてもよい。
締め付け部１４０Ｂは留め具本体１２８の第１面（ループした膝ストラップ１４２がアンカーバー１３８から離れていく面）に位置し、一方、操作部１４０Ａは操作者の手が届き易い留め具本体１２８の反対側の第２面から突出していてもよい。弾性部１４１はアンカーバー１３８に対面する開口１２８Ｂの一方の側から留め具本体１２８の第１面（膝ストラップ１４２が横たわる側）に向って曲がって延びて締め付け部１４０Ｂと結合されてよい。操作部１４０Ａは第１面（膝ストラップ１４２が横たわる側）と反対方向に開口１２８Ｂから斜めに突出してよい。この構成では、弾性部１４１と操作部１４０Ａとの間に凹部１４０Ｃが形成される。
【００１７】
ストラップクランプ１４０は締め付け部１４０Ｂをアンカーバー１３８に対して締め付け位置と解放位置との間を移動させるよう弾性変形可能である。図７では、膝ストラップ１４２が締め付けられた状態にあり、締め付け部１４０Ｂは膝ストラップ１４２をアンカーバー１３８の第２側１３８Ｂに圧接させている。この締め付けられた状態では、アンカーバー１３８の第２側１３８Ｂと締め付け部１４０Ｂの距離は、アンカーバー１３８の第２側１３８Ｂと操作部１４０Ａの距離より小さくてもよい。
【００１８】
図８では、膝ストラップ１４２が解放された状態にある。膝ストラップ１４２を解放するために、操作者は締め付け部１４０Ｂがアンカーバー１３８の第２側１３８Ｂから離れるよう、アンカーバー１３８の第２側１３８Ｂと締め付け部１４０Ｂとの距離Ｗが増加する方向に操作部１４０Ａを押す。締め付け部１４０Ｂが膝ストラップ１４２から離れた後、膝ストラップ１４２を所望の長さに調整できる。
解放された状態では、アンカーバー１３８の第２側１３８Ｂと締め付け部１４０Ｂの距離は、アンカーバー１３８の第２側１３８Ｂと操作部１４０Ａの距離より大きくてもよい。膝ストラップ１４２を所望の長さに調整した後、操作部１４０Ａを解放するとクランプ１４０は弾性により元の位置に戻る。その結果、締め付け部１４０Ｂは、アンカーバー１３８の第２側１３８Ｂと締め付け部１４０Ｂの距離Ｗを短くする方向に移動し、膝ストラップ１４２をアンカーバー１３８に圧接させる。
【００１９】
ストラップクランプ１４０の上記の構造によって、操作者は操作部１４０Ａを操作することで膝ストラップ１４２を容易に解放できるので、膝ストラップ１４２の調整が容易になる。ストラップクランプ１４０とアンカーバー１３８との構造は、ハーネスストラップを保持するための任意の他の留め具に適用できる。
【００２０】
図１及び図２を再び参照すると、解放ボタン１０６の内側面１０６Ａは曲がった輪郭を有する突出したリブ１４４と、両側の周辺に対称に配置された複数の保持フィンガー１４５とを備えてよい。解放ボタン１０６は、リブ１４４がラッチアーム１２２、１２３と接触するようハウジング１１３の開口１０２Ａに可動に装着されうる。
特に、リブ１４４の形状は、ラッチアーム１２２の第１と第２端部１２２Ａ、１２２Ｂの間の領域とラッチアーム１２３の第１と第２端部１２３Ａ、１２３Ｂの間の領域とにリブ１４４が接触するような形状であってよい。従って、第１端部１２２Ａ、１２３Ａはリブ１４４の両側にそれぞれ位置する。操作中、保持フィンガー１４５は開口１０２Ａの縁に当接して解放ボタン１０６がハウジング１１３から離れるのを防ぐ。
【００２１】
図１及び図２を再び参照すると、各第２ストラップ留め具１０８は肩ストラップ１５２を通すための孔１５０を備える。第２ストラップ留め具１０８は対応する第１ストラップ留め具１０４がソケット１０２に挿入される前に挿通される細長いスロット１５４を備えてよい。細長いスロット１５４の縁には、第１ストラップ留め具１０４に設けられたアライメント溝１３０と噛合する複数の突出したアライメントリブ１５６が設けられてよい。第１ストラップ留め具１０４が細長いスロット１５４に挿通された時、アライメントリブ１５６はアライメント溝１３０と噛合し、第１及び第２ストラップ留め具１０４、１０８を整合状態で保持し相互のずれを防ぐ。
【００２２】
図３はソケット１０２にロックされた第１ストラップ留め具１０４を例示する概略図であり、図４は図３の線４に沿った断面図である。明確さのために、これらの図において第２ストラップ留め具１０８は省略されている。２つの第１ストラップ留め具１０４がソケット１０２にロックされる時、２つの第１ストラップ留め具１０４のタング１２６が挿入スロット１０２Ｂ、１０２Ｃを通ってソケット１０２に挿入される。
【００２３】
また、ラッチアーム１２２、１２３の突起１２２Ｃ、１２３Ｃは、タング１２６に設けられた捕捉孔１３４に係合する（例えば、ラッチアーム１２３の突起１２３Ｃは、ソケット１０２の左側から挿入されたタング１２６の捕捉孔１３４に係合し、ラッチアーム１２２の突起１２２Ｃは、ソケット１０２の右側から挿入されたタング１２６の捕捉孔１３４に係合する）。タング１２６がラッチアーム１２２、１２３にロックされた時、バネフィンガー１３６はラッチアーム１２２、１２３の第２端部１２２Ｂ、１２３Ｂに圧接する（例えば、左側から挿入されたタング１２６のバネフィンガー１３６はラッチアーム１２２の第２端部１２２Ｂに圧接し、右側から挿入されたタング１２６のバネフィンガー１３６はラッチアーム１２３の第２端部１２３Ｂに圧接する）。
【００２４】
圧縮されたバネフィンガー１３６は第１ストラップ留め具１０４にバネ力を印加し第１ストラップ留め具１０４が互いから離れるよう付勢して、突起１２２Ｃ、１２３Ｃが捕捉孔１３４にしっかりと係合するのを助ける。この構造によって、２つの第１ストラップ留め具１０４のソケット１０２との係合点は、それぞれ異なる横方向軸と整列する（例えば、図１中の左側から挿入された第１ストラップ留め具１０４とソケット１０２との係合点は軸Ｘ２上に位置し、右側から挿入された第１ストラップ留め具１０４とソケット１０２との係合点は軸Ｘ１上に位置する）。
【００２５】
解放ボタン１０６がＤ１方向にハウジング１１３の内方へ押されると、リブ１４４はラッチアーム１２２、１２３（特に、第１端部１２２Ａ、１２３Ａ）をＤ１方向に押し曲げて、突起１２２Ｃ、１２３Ｃを捕捉孔１３４から離す。突起１２２Ｃ、１２３Ｃが捕捉孔１３４から離れると、バネフィンガー１３６は弾性により元の状態に戻り、これが２つの第１ストラップ留め具１０４を互いに反対のＤ２方向とＤ３方向にソケット１０２から押し出す。解放ボタン１０６を押すのをやめると、ラッチアーム１２２、１２３はハウジング１１３の底部から弾性により離れ、元の状態に戻る。ラッチアーム１２２、１２３のこの変位は、解放ボタン１０６をＤ１方向と反対の方向に駆動し元の状態に戻す。
【００２６】
図５は図３の線５に沿った断面図である。留め具システム１００は、第１ストラップ留め具１０４のソケット１０２への誤った挿入を防ぐアライメント構造体を備えてもよい。図５に示すように、このアライメント構造体は、各タング１２６の一方の面（例えば、第２面１２６Ｂ）に配置された第１噛合構造体１４６（例えば、突出したリブ及び／又は引っ込んだスロット）と、対応する挿入スロット１０２Ｂ、１０２Ｃに隣接してハウジング１１３に配置された第２噛合構造体１４８（例えば、突出したリブ及び／又は引っ込んだスロット）とを備えてもよい。
第１噛合構造体１４６はタング１２６の中心に関して非対称で、例えば、等しくない距離Ｗ１とＷ２だけ互いに隔てられて並んだ３つのリブから構成されてもよい。従って、第１ストラップ留め具１０４がソケット１０２の対応する正しい側に正しい向きに挿入された時だけ、第１と第２噛合構造体１４６、１４８は適切に噛合できる。このようにして、誤った操作又は挿入を防ぐことが出来る。
【００２７】
図６はソケット１０２にしっかりと取り付けられた第１及び第２ストラップ留め具１０４、１０８を例示する概略図である。留め具システム１００を取り付けるために、第１及び第２ストラップ留め具１０４、１０８を互いに取り付けた後、第１ストラップ留め具１０４をソケット１０２に取り付ける必要がある。より具体的には、各第１ストラップ留め具１０４のタング１２６を先ず対応する第２ストラップ留め具１０８の細長いスロット１５４に通し、第２ストラップ留め具１０８のアライメントリブ１５６を第１ストラップ留め具１０４のアライメント溝１３０に噛合させる。
次に、第１ストラップ留め具１０４のタング１２６を挿入スロット１０２Ｂ、１０２Ｃを通してソケット１０２に挿入して、ラッチアーム１２２、１２３をタング１２６の捕捉孔１３４に係合させる。これにより、第１と第２ストラップ留め具１０４、１０８はソケット１０２に適切にロックされる。
【００２８】
なお、本明細書に記載した構造と操作は５点留め具システムに限定されず、肩ストラップ１５２及び第２ストラップ留め具１０８のない３点留め具にも適用できる場合がある。
【００２９】
本明細書に記載した構造の少なくとも１つの利点は、本留め具システムの製造に必要な部品数が低減されることである。特に、ソケットは組み立てが簡単で追加のバネ部品を必要としない。また、この留め具システムは、ロック解除しストラップを所望の長さに調整するために操作するのに便利である。
【符号の説明】
【００３０】
１００              子供用ハーネス留め具システム
１０２              ソケット
１０２Ｂ、１０２Ｃ  挿入スロット
１０４              （第１）ストラップ留め具
１０６              解放ボタン
１０８              第２ストラップ留め具
１１２              股ストラップ
１１３              ハウジング
１２２、１２３      ラッチアーム
１２６              タング
１３４              捕捉孔
１３６              バネフィンガー
１４２              膝ストラップ
１４４              リブ
１５２              肩ストラップ
【図１】
2011251121.tif 000003
【図２】
2011251121.tif 000004
【図３】
2011251121.tif 000005
【図４】
2011251121.tif 000006
【図５】
2011251121.tif 000007
【図６】
2011251121.tif 000008
【図７】
2011251121.tif 000009
【図８】
2011251121.tif 000010